(57)【要約】【課題】自動車の盗難の低減をも図ることができる保険システムとそれに使用する車両認証用ラベルを提供する。【解決手段】本発明の車両認証用ラベルを使用する保険システムは、自動車の盗難防止をも図る保険システムであって、（１）自動車保険加入または継続の契約時に、自動車の所有者１２が当該自動車にかかる保険金を保険会社１１に支払いすることと、（２）当該契約時に、保険証書と共に、「車両ナンバー情報」と「保険情報」を記録した車両認証用ラベル１を保険会社が契約者に配布することと、（３）自動車の所有者は、当該契約車両の窓ガラスの内側に前記車両認証用ラベルを貼付しておくこと、を特徴とする。本発明の車両認証用ラベルは、ＯＶＤ効果を有し、レーザー光等により改ざん不能に描画可能なことを特徴とする。【選択図】    図１
2004333530.tif 000002
【特許請求の範囲】
【請求項１】
自動車の盗難防止をも図る保険システムであって、（１）自動車保険加入または継続の契約時に、自動車の所有者が当該自動車にかかる保険金を保険会社に支払いすることと、（２）当該契約をした際に、保険証書と共に、「車両ナンバー情報」と「保険情報」を記録した車両認証用ラベルを保険会社が契約者に配布することと、（３）自動車の所有者は、当該契約車両の窓ガラスの内側に前記車両認証用ラベルを貼付しておくこと、を特徴とする車両認証用ラベルを使用する保険システム。
【請求項２】
車両認証用ラベルがホログラムパターンまたは光回折格子パターンを有するＯＶＤラベルであることを特徴とする請求項１記載の車両認証用ラベルを使用する保険システム。
【請求項３】
「保険情報」が自動車保険の有効期限、保険証書番号、を含むものであることを特徴とする請求項１記載の車両認証用ラベルを使用する保険システム。
【請求項４】
「保険情報」が２次元バーコードで記録されていることを特徴とする請求項１または請求項３記載の車両認証用ラベルを使用する保険システム。
【請求項５】
「車両ナンバー情報」がナンバープレート情報であって、レーザー光描画法により印字されていることを特徴とする請求項１または請求項２記載の車両認証用ラベルを使用する保険システム。
【請求項６】
「車両ナンバー情報」がナンバープレート情報であって、感熱転写法により印字されていることを特徴とする請求項１または請求項２記載の車両認証用ラベルを使用する保険システム。
【請求項７】
車両の窓ガラス内面に貼付する車両認証用ラベルであって、支持体シート上に、（１）剥離層、（２）ホログラムまたは光回折格子形成層、（３）光反射金属層、（４）粘着剤層、（５）透明セパレートフィルム、が順次形成され、当該光反射金属層に、目視で認識可能な「車両ナンバー情報」と、目視では認識不可能であって機械認識可能な「保険情報」を、レーザー光描画法により記録したことを特徴とする車両認証用ラベル。
【請求項８】
剥離層とホログラムまたは光回折格子形成層との間に中間層、光反射金属層と粘着剤層との間にアンカー層、を入れたことを特徴とする請求項７記載の車両認証用ラベル。
【請求項９】
「保険情報」が２次元バーコードであることを特徴とする請求項７または請求項８記載の車両認証用ラベル。
【請求項１０】
「車両ナンバー情報」がナンバープレート情報であることを特徴とする請求項７または請求項８記載の車両認証用ラベル。
【請求項１１】
光反射金属層をレーザー光照射によりバーコード状に破壊して記録し、金属層バー部分の正反射光と樹脂層スペース部分の拡散反射光の反射率差を、正反射光受光位置に設置したセンサーにて検知し、保険情報を読取りすることを特徴とする請求項７ないし請求項９記載の車両認証用ラベル。
【請求項１２】
光反射金属層をレーザー光照射によりバーコード状に破壊して記録し、金属層上の回折格子バー部分の回折光と樹脂層上の回折格子スペース部分の回折光との回折光強度差を、回折光受光位置に設置したセンサーにて検知し、車両ＩＤコードを読取りすることを特徴とする請求項７ないし請求項９記載の車両認証用ラベル。
【発明の詳細な説明】
【０００１】
【発明の属する技術分野】
この発明は、車両認証用ラベルを使用する保険システムとそれに使用する車両認証用ラベルに関する。
詳しくは、車両認証用ラベルを車体の窓ガラスに貼付することで盗難車両の減少を図り、併せて車両保険への加入を促進することを目的とする自動車保険システム等に関する。
【０００２】
【従来技術】
従来から車両のフロントとバックにはナンバープレートが備えられているが、このナンバープレートで自動車を特定できることが自動車の盗難を防止することに効果していると考えられる。しかし、ナンバープレートの模造や付け替え偽装は必ずしも不可能ではないため、完全に盗難を防止することはできない。
そのため、法的に規制されるものではないが、窓ガラス等に貼付する第三のナンバープレートを設ければ盗難を一層困難にできると考えられる。
そこで、本発明は自動車保険契約の際、保険証書と共に、第三のナンバープレートの効果を果たすことを目的として、車両ナンバー等を改ざん不能に記録したＯＶＤ（Ｏｐｔｉｃａｌ  Ｖａｒｉａｂｌｅ  Ｄｅｖｉｃｅ  ）ラベルを契約者に配布し、車の所有主である契約者が車体の窓ガラス内側に当該ラベルを貼付しておくことで、車両盗難を減らし、保険料の支払い低減により保険会社に生じる利益を契約者にも還元しようとするものである。
【０００３】
ところで、このようなシステムでは保険契約の際、車両ナンバー情報と保険契約者であることを表示した認証用ラベルが必要となるが、偽造、変造を招くようなラベルでは、システムの円滑な運用を図れなくなる。
そこで、車体認証等に用いられるラベルに関して従来技術を調査すると、以下のような先行技術が見られる。
【０００４】
特許文献１は、「車両認証用ステッカー」に関するものである。この技術は、ナンバー情報および情報読取用バーコードの印刷層を透明ホログラム層にて隠蔽した車両認証ラベルに関するが、印刷層は熱転写プリンタによる印字であるため、改ざんされ易いことと、意匠的にも優れたものを製造し難い問題がある。
特許文献２は、「商品管理システム」に関するものである。この技術は、ホログラムの複数ドットにレーザー光照射によりドットを任意に消去し可変情報を記録したＯＶＤラベルを用い、商品流通の各段階（注文、請求、支払いなど）でリーダにて情報を読み取りし、サーバーのデータベースにアクセスして管理するシステムであるが、専用リーダを使用して初めて可変情報の意味が分かり、目視で直接に確認はできないという煩わしさがある。
【０００５】
また、特許文献３は、「ホログラム情報記録システム及びホログラム情報記録方法」に関するが、この技術は、上記特許文献２の内容に加え、使用時の各段階において情報をレーザーで追記していくＯＶＤおよびシステムについて記載している。ただし、特許文献２と同様に目視での確認はできないという煩わしさがある。
【０００６】
【特許文献１】特開２００２−３６６０３６号公報
【特許文献２】特開２００１−１８０８１３号公報
【特許文献３】特開２００２−２４５４２０号公報
【０００７】
【発明が解決しようとする課題】
従来の自動車保険システムでは、自動車事故や盗難の際の加入保険者の被害の軽減を図る仕組みがなされているが、保険システムそのものが車両盗難の減少に効果している面は少ないと考えられる。そこで、本発明では、従来の自動車保険システムに第三のナンバープレートともいうべき車両認証用ラベルを採用することで、積極的に自動車盗難の低減にも寄与しようとするものである。
また、保険システムに用いられる証明用ラベルにも従来品には適切なものを見出し得ない。そこで、本願発明者は、目視可能な情報を担持し改ざんや偽造を高度に防止できる証明用ラベルを用いた保険システム、を構築すべく研究して本発明の完成に至ったものである。
【０００８】
【課題を解決するための手段】
上記課題を解決するための本発明の要旨の第１は、自動車の盗難防止をも図る保険システムであって、（１）自動車保険加入または継続の契約時に、自動車の所有者が当該自動車にかかる保険金を保険会社に支払いすることと、（２）当該契約をした際に、保険証書と共に、「車両ナンバー情報」と「保険情報」を記録した車両認証用ラベルを保険会社が契約者に配布することと、（３）自動車の所有者は、当該契約車両の窓ガラスの内側に前記車両認証用ラベルを貼付しておくこと、を特徴とする車両認証用ラベルを使用する保険システム、にある。
【０００９】
上記課題を解決するための本発明の要旨の第２は、車両の窓ガラス内面に貼付する車両認証用ラベルであって、支持体シート上に、（１）剥離層、（２）ホログラムまたは光回折格子形成層、（３）光反射金属層、（４）粘着剤層、（５）透明セパレートフィルム、が順次形成され、当該光反射金属層に、目視で認識可能な「車両ナンバー情報」と、目視では認識不可能であって機械認識可能な「保険情報」を、レーザー光描画法により記録したことを特徴とする車両認証用ラベル、にある。
【００１０】
【発明の実施の形態】
本発明は、車両認証用ラベルを使用する保険システム（以下、「本保険システム」と略称する場合もある。）と車両認証用ラベルに関するが、以下順次、説明する。図１は、本保険システムを説明する図である。
【００１１】
図１のように、本保険システム１０は、保険会社１１、自動車所有者１２、整備会社１３、ガソリンスタンド１４等の自動車サービス業、ラベル製造元１５、等の間で運用されるシステムに関する。
このシステムでは例えば、新車購入の際、購入者である自動車所有者１２が、任意保険の自動車保険（特に車両保険）を保険会社１１と契約する。
保険会社１１は、保険証書８と車両認証用ラベル１を契約者である自動車所有者１２に配布する。これから、本発明の保険システムが始まる。
以下、図１中の括弧付き番号を参照してシステムの手順を説明する。
【００１２】
＜システムの手順＞
（１）自動車所有者１２は、自動車保険（任意保険）加入の申請を保険会社１１に対して行う。
（２）保険会社１１は、申請に基づき加入者情報９のデータをラベル製造元１５に送信する。加入者情報９には、「車両ナンバー情報」と「保険情報」が含まれる。「保険情報」とは、契約者氏名または社名、契約者ＩＤ、保険証書番号、保険有効期限、等に関する。
（３）ラベル製造元１５は、加入者情報９をＯＶＤラベルである車両認証用ラベル１に記録し保険会社１１に納品する。
記録する加入者情報の内容は、目視可能なナンバープレート情報、機械読み取りする保険情報のバーコード、等である。記録情報量が多い場合は２次元バーコードの使用が有利である。
ラベルへの記録はレーザー光描画法または感熱転写法により印字する。
【００１３】
（４）保険会社１１は、保険証書８と車両認証用ラベル１を契約者である自動車所有者１２に郵送する。
（５）自動車所有者１２は、車両認証用ラベル１を、例えば、自動車のリアガラスやフロントガラスの内側に貼付する。
車の窓ガラスに貼着するのは、ナンバープレートとの照合を容易にする目的のためである。また、窓ガラスの内側に貼着するのは汚損や破損、紛失を防止したり、剥ぎ取りや悪戯を防止する目的である。
（６）自動車所有者１２は、車両認証用ラベル１を貼付することで、保険会社と提携している整備会社１３またはガソリンスタンド１４等からサービスの特典を受けることができる。
【００１４】
（７）整備会社１３またはガソリンスタンド１４は、サービス提供の際、ハンディータイプリーダライタにより、２次元（または１次元）バーコードを読取り、提携先保険会社への保険加入の有無を問い合わせする。保険会社１１は、管理データベース１６を備え、問い合わせに対応できるようにしている。
バーコードから読み取った内容が、管理データベース１６に蓄積され正規に契約されたものであることが確認されても、車両ナンバー情報と不一致の場合は、サービスを受けられない。車両認証用ラベル１を付け替えたりする場合があるからである。ナンバープレート情報の確認は目視で行う。
【００１５】
整備会社１３またはガソリンスタンド１４等が、保険契約者に対して、一定のサービスの特典を与えるのは、本保険システムにより保険会社に収益の向上が見込まれることを前提とする。
前記のように、第三のナンバープレートとしての車両認証用ラベル１が自動車の窓ガラスに貼られていることにより盗難を抑制する機能がはたらく。これにより盗難が減少すれば、保険会社の収益が向上し、収益の一部を保険加入者へ還元することも可能となる。
【００１６】
整備会社１３のサービスとしては、引取納車サービス、代車サービス、洗車サービス、修理箇所の永久保証、等がある。また、ガソリンスタンド１４のサービスとしては、ガソリンを充填する際のサービスポイントの付加や割引、洗車サービス、２４時間営業スタンドの紹介、等がある。
整備会社１３やガソリンスタンド１４に生じる負担は、保険会社１１から補填される。このようなサービスの特典により、当該保険会社への保険加入が促進されるという相乗効果が生じる。
【００１７】
ラベルの貼り替えは次の時期に行われる。
（１）有効期限を過ぎた場合（保険更新時）。（２）保険会社を変更した場合。（３）転勤等により陸運支局を変更した場合（この際は、通常、ナンバープレートの変更が伴うからである。）。
これらの際は、新しい車両認証用ラベルが発行される。
【００１８】
管理データベース１６に蓄積する情報の内容は、例えば、以下のようになるが、全てを入力する必要はなく、必要な情報を適宜選択する。
（１）保険契約者情報
▲１▼契約者氏名または社名、▲２▼契約者ＩＤ、▲３▼住所または所在地、▲４▼性別、▲５▼年令、▲６▼電話番号、等
（２）加入保険情報
▲１▼保険有効期間、▲２▼保険証書番号、▲３▼車両保険金額、▲４▼保険会社名、等
（３）車両ナンバー情報
▲１▼ナンバープレート情報、▲２▼車種、▲３▼型式、▲４▼車台番号、等
（４）整備会社やガソリンスタンドが、保険契約者に与えた特典の内容。
これを逐次蓄積すれば、保険会社が、整備業者またはガソリンスタンド、等に対して補填する金額の算定が容易となる。
【００１９】
次に、車両認証用ラベルについて説明する。
本保険システム１０に使用する車両認証用ラベル１は、ＯＶＤラベルで構成されており、それ自体が製造が困難な特徴がある。
また、レーザー光描画する場合は、その記録は一般的には困難である。また、バーコードの記録も管理データベース１６に登録されている契約内容と同一に記録することは、契約内容を知らない第三者には極めて困難である。
したがって、実質的に車両認証用ラベル１の模造、改ざんは不可能と考えて良い。
【００２０】
図２は、車両認証用ラベルの層構成を示す図、図３は、車両認証用ラベルにレーザー光描画する状態を示す図、図４は、車両認証用ラベルを車両の窓ガラスに貼着した状態を示す図、図５は、車両認証用ラベルに記録するマークの例を示す図、である。
図６、図７は、車両認証用ラベルの読み取り状態を示す図である。
【００２１】
本発明の車両認証用ラベル１の層構成は、図２のように支持体シート２の上に剥離層３を介して、または介さないで、ホログラムまたは光回折格子形成層（以下、「ホログラム形成層」とする。）４を設け、さらに光反射金属層５を形成してから、粘着剤層６と透明セパレートフィルム７を設けた構成となっている。
剥離層３は、ラベルを自己破壊型ラベルとするためのもので、改ざん等を試みた場合に容易に剥離して復元できなくするためのものである。従って、そのような目的としない場合は剥離層３を設けなくても良く、設けない場合は一般的な粘着型ラベルになる。通常、剥離層材料には、後述するように支持体シート２に対して強接着しない材料を選択する。
剥離層３とホログラム形成層４との間に中間層を設ける場合、または光反射金属層５と粘着剤層６間にアンカー層を設ける場合には自己破壊性が一層増進される。
【００２２】
ホログラム形成層４は、ホログラムの干渉縞波面や光回折格子を記録したもので、これらの記録原版を複製した複製用型版から熱硬化性や熱可塑性樹脂材料面にエンボス的に複製再現するものである。
通常、ホログラム形成層４には、光の波長の１／４から２倍程度の干渉縞ピッチや回折格子が記録されているが、波形の凹凸高さは一般に、それよりは小さい値となる。ホログラム形成層４の厚みは、０．１〜６μｍ程度に形成する。
このホログラム形成層４により、ホログラム像や光の回折光パターンが生じることになる。回折格子絵柄を加える場合はラベルの意匠性を高め、かつ偽造防止性の向上を図ることができる。
【００２３】
ホログラム形成層４は、まず、ホログラムの干渉縞を記録したホログラム原パターンを形成する。ホログラム原パターン自体もエンボス形成層に使用できるが、量産する場合は、これをホログラム型に記録した後、ベースフィルム上のホログラム転写層材料に連続的に転写することにより行なう。
ホログラム形成層材料は一般に熱硬化性樹脂や電離放射線硬化性樹脂が用いられ、ホログラムパターンを転写した後、熱または紫外線等の電離放射線を照射して熱硬化させることが行なわれる。
このようにホログララムや光回折格子のように、光学的効果を有するラベルは、ＯＶＤラベルといわれている。
【００２４】
車両認証用ラベル１は、ホログラム形成層４の粘着剤層６側面に、光反射性金属材料を蒸着またはスパッタリングして設けた光反射金属層５を有している。
当該光反射金属層５により、ホログラム像や光回折格子パターンをより明るく鮮明にすると共に、目視で認識可能な「車両ナンバー情報」と機械認識可能な「保険情報」を当該層に書き込みすることができる。
光反射金属層５の使用材料は、後述するように各種の材料があるが、蒸着等が容易なものとしては、アルミニウムが最適と考えられる。ただし、ニッケル、錫、インジウム、等も実用性が望める。
【００２５】
光反射金属層５は、光反射や光回折効率を高めるためにホログラム形成層４に薄膜状に設けるものである。光を全反射するシルバータイプの他、半透明な透明タイプが用いられる場合もある。
光反射金属層の形成方法としては、真空蒸着法、スパッタリング法、イオンプレーティング法などの薄膜形成法が挙げられる。
当該光反射金属層５の厚みは、５ｎｍ〜１μｍもあれば十分である。
【００２６】
車両認証用ラベル１を自動車の窓ガラスに貼着する際は、透明セパレートフィルム７を剥離して粘着剤層６により窓ガラス面に貼着する。セパレートフィルムを透明にするのはレーザー光描画を可能とするためである。
レーザー光描画による「車両ナンバー情報」と「保険情報」の記録は、車両認証用ラベル１を自動車所有者１３に渡す前に行うので、当然に窓ガラスに貼着する前で透明セパレートフィルム７が付いている状態で行われる。
【００２７】
車両認証用ラベル１にレーザー描画する場合は、図３の状態になる。レーザー光描画機のレーザー光光源２５から照射されたレーザー光２５Ｌは、対物レンズ２６により集束されて車両認証用ラベル１の光反射金属層５を照射する。光反射金属層５は、レーザー光により加熱溶融して描画部分２７を形成する。
このようなレーザー光描画機は、各種機種が市販されていて通常の文字や微細文字、バーコードパターン等の短時間の記録が可能である。
【００２８】
車両認証用ラベル１を車両の窓ガラス１６に貼着した状態は、図４のようになる。図４（Ａ）は、車両窓ガラスに貼着した状態の断面図、図４（Ｂ）は、同平面図、である。
図４（Ａ）のように、車両認証用ラベル１を車両の窓ガラス１６に貼り付けた場合、車両の外側からナンバープレート情報５Ｎやバーコードで表示した保険情報５Ｂを視認することができる（図５（Ｂ））。
有効期限５Ｙは、目視可能なように「０４３」と表示されている。これは、２００４年３月が期限であることを表示するものである。バーコード５Ｂは車両の外部から専用読み取り装置による読み取りが可能である。保険情報のように個人情報を含む場合は、目視では読み取りできないことが好ましい。
【００２９】
ホログラムパターン（星形）や光回折格子によるパターン４ｐは、車内からも車外からも視認可能である。
図５は、車両認証用ラベルに記録するマークの例を示す図である。２００４年３月が、例えば、３つの星形で表示され、２００５年３月が、３つの三日月形で表示されている。このように表示することに限定されるわけではないが、記号表示すれば、偽造、改ざんの困難性が向上する。
２次元バーコード５Ｂは、実際には白抜け状態で記録される。
【００３０】
図６、図７は、保険情報を機械読み取りする状態で、１次元バーコードで記録した場合であるが、２次元バーコードでも同様である。バーコードに重ねて回折格子パターンを記録することもできる。
図６は、光回折格子パターンがバーコード部に無い場合である。この場合、車両認証用ラベル１の保険情報部の機械読み取りは、例えば、赤色ＬＥＤ等の発光部３１とＣＣＤラインセンサーからなる受光部３２を有する読み取り装置３０を用いて行うことができる。
バーコード５Ｂ部分の読み取りは、レーザー光で除去しないで残した金属層部分５ｋから反射したＬＥＤ光Ｌ１は受光部３２に正反射し、金属層を破壊し金属層部の無いスペース部分（樹脂層部）５ｎからはＬＥＤ反射光が生じないで、拡散光のみが生じることを示している。
受光部３２を正反射光位置に設置して反射率差を測定することにより、コードパターンを読取りすることができる。
【００３１】
図７も保険情報の機械読み取り状態を示す図であるが、バーコーパターン部に光回折格子パターンがある場合である。この例では、レーザー回折光による検知状態を示している。金属層部分５ｋから反射したレーザー光Ｌ２は受光部３２に４５°の角度で回折し、金属層部の無い部分５ｎからのレーザー光Ｌ２も受光部３２に４５°の角度で回折するが、反射層を有するバーの部分の回折強度の方が強いため、バー／スペースの回折光強度差により、ＣＣＤラインセンサーがコードパターンを検知することを示している。
回折光受光位置に設置したＣＣＤラインセンサーからなる受光部３２にて検知し、コードパターンを読取りすることができる。回折光の検知であるため、光源にはレーザー光を用いるのが望ましい。
【００３２】
＜その他の材質に関する実施形態＞
（１）支持体シート
積層する各層を順次コーティングなどにより形成する際の耐熱性および耐溶剤性、また形成されたラベルをガラス面に転写する際、熱転写方式を利用する場合には、その耐熱性が必要とされる。
これらの性能を備えるプラスチックフィルムとしては、例えば２軸延伸ポリエチレンテレフタレートフィルム（以下、「ＰＥＴフィルム」と表示する。）を好ましく使用できる。ＰＥＴフィルムを使用する場合、支持体シート２の厚みは、５〜２５０μｍのものが好ましく、加工適性や引張り強度、熱転写の際の熱効率を考慮すると１０〜１００μｍがさらに好ましい。
【００３３】
（２）剥離層
車両認証用ラベル１の剥離層３には、アクリル骨格樹脂、塩化ビニル−酢酸ビニル共重合体樹脂、酢酸セルロースと熱硬化型アクリル樹脂、メラミン樹脂、ニトロセルロース樹脂、およびこれらとポリエチレンワックスとの混合物等から形成されるが、特にアクリル骨格樹脂を主成分とすることが好ましい。
または剥離層と支持体シート２との密着力を調整するために、ポリエステル樹脂等が好ましく用いられる。逆に剥離性を高めるためには、ワックス、シリコン系樹脂を添加することが行われる。
剥離層は、上記樹脂を適宜な溶剤に溶解または分散して、剥離層用塗工液を調整しこれを支持体シート２上に、グラビア印刷法、スクリーン印刷法またはリバースコーティング法、等の手段により塗布、乾燥して形成することができる。
剥離層の厚みは、０．１〜１０μｍ程度の薄層にして用いる。
【００３４】
（３）ホログラム形成層
ホログラムや光回折格子の精細パターンを再現できる樹脂材料が使用される。一般的には、ポリ塩化ビニル樹脂、アクリル樹脂、ポリスチレン、ポリカーボネート等の熱可塑性樹脂、不飽和ポリエステル樹脂、メラミン、エポキシ、アクリレート等の熱硬化性樹脂をそれぞれ単独、あるいは上記熱可塑性樹脂と熱硬化性樹脂とを混合して使用することができ、さらにラジカル重合性不飽和基を有する熱成形性物質、あるいはこれらにラジカル重合性不飽和単量体を加え、電離放射線硬化性としたものなどを使用することができる。
このようなホログラム形成層の膜厚は、０．１〜６μｍの範囲が好ましく、１〜４μｍの範囲がさらに好ましい。
【００３５】
（４）光反射金属層材料
光を全反射する金属材料は、アルミニウム（Ａｌ）、亜鉛（Ｚｎ）、インジウム（Ｉｎ）、金（Ａｕ）、銀（Ａｇ）、コバルト（Ｃｏ）、錫（Ｓｎ）、セレン（Ｓｅ）、チタニウム（Ｔｉ）、テルル（Ｔｅ）、銅（Ｃｕ）、鉛（Ｐｂ）、ニッケル（Ｎｉ）、パラジウム（Ｐｄ）などの単体金属、もしくはそれらの合金を使用し得る。
金属薄膜の厚みは、色調やデザイン、用途等に応じて調整し得るが、一般的には５ｎｍ〜１μｍの範囲が好ましく、より好ましくは１０ｎｍ〜１００ｎｍの範囲である。透明性を有する着色光反射金属層を設けたい場合は、膜厚を２０ｎｍ以下にするのが好ましい。また、隠蔽性を有する着色光反射金属層を設けたい場合は、膜厚を２０ｎｍ以上にするのが望ましい。
【００３６】
（５）粘着剤層
粘着剤層６に使用する粘着剤としては、アクリル樹脂、アクリル酸エステル樹脂、またはこれらの共重合体、スチレンブタジエン共重合体樹脂、天然ゴム、カゼイン、ゼラチン、ロジンエステル、テルペン樹脂、フェノール系樹脂、スチレン系樹脂、クロマンインデン樹脂、ポリビニルエーテル樹脂、シリコーン樹脂、または、アルファシアノアクリレート系、シリコーン系、マレイミド系、スチロール系、ポリオレフィン系、レゾルシノール系、ポリビニルエーテル系、等の粘着剤を挙げることができる。
【００３７】
また、粘着剤として、ヒートシール剤を使用してもよく、例えば、エチレン−酢酸ビニル共重合樹脂、ポリアミド樹脂、ポリエステル樹脂、ポリエチレン樹脂、エチレン−イソブチルアクリレート共重合樹脂、ブチラール樹脂、ポリ酢酸ビニルおよびその共重合樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、フェノール樹脂、スチレン−ブタジエン−スチレン（ＳＢＳ）共重合体樹脂、スチレン−イソプレン−スチレン（ＳＩＳ）共重合体樹脂等の各種熱可塑性エラストマー、または反応ホットメルト系樹脂等が挙げられる。
車両認証用ラベルは、前記のように車検の都度に更新することを前提とするので、粘着剤は貼付後に剥離し易いことも必要な条件となる。
粘着剤層の厚みとしては、３μｍ〜３０μｍとするのが好ましい。
【００３８】
【発明の効果】
以上詳しく説明したように本発明によれば以下の効果が得られる。
（１）本保険システムによれば、偽造、模造が困難な光学効果を有するＯＶＤラベルを車両認証用ラベルに用いており、当該車両認証用ラベルが第三のナンバープレートの機能をするので、保険システムそのものを自動車盗難の減少に寄与させることができる。
（２）本発明の車両認証用ラベルは、それ自体が製造が困難なＯＶＤラベルで構成されており、レーザー光記録することで、偽造、模造を一層困難にできる。
また、第三者が「ナンバープレート情報」と「保険情報」を管理データベースに登録されている内容と同一に記録することは極めて困難であるため、偽造、模造を実質的に不可能にできる。
【図面の簡単な説明】
【図１】本保険システムを説明する図である。
【図２】車両認証用ラベルの層構成を示す図である。
【図３】車両認証用ラベルにレーザー光描画する状態を示す図である。
【図４】車両認証用ラベルを車両の窓ガラスに貼着した状態を示す図である。
【図５】車両認証用ラベルに記録するマークの例を示す図である。
【図６】車両認証用ラベルの読み取り状態を示す図である。
【図７】車両認証用ラベルの読み取り状態を示す図である。
【符号の説明】
１    車両認証用ラベル
２    支持体シート
３    剥離層
４    ホログラムまたは光回折格子形成層（ホログラム形成層）
５    光反射金属層
６    粘着剤層
７    透明セパレートフィルム
８    保険証書
９    加入者情報
１０    本保険システム
１１    保険会社
１２    自動車所有者
１３    整備会社
１４    ガソリンスタンド
１５    ラベル製造元
１６    車両の窓ガラス
【図１】
2004333530.tif 000003
【図２】
2004333530.tif 000004
【図３】
2004333530.tif 000005
【図４】
2004333530.tif 000006
【図５】
2004333530.tif 000007
【図６】
2004333530.tif 000008
【図７】
2004333530.tif 000009